(57)【要約】【課題】メモリプレーヤのヘッドホン出力端子とアンプスピーカの外部入力端子との接続を不要とすることができ、しかもアンプスピーカ側の構成部品のラッチアップを確実に防止でき、併せてオーディオ信号の歪みも確実に防止すること。【解決手段】メモリプレーヤ３０側からアンプスピーカ４０側でデコード可能なデジタルの第１音声ファイルと、アンプスピーカ４０側でデコード不可能なデジタルの第２音声ファイルとの出力が切り換えられ、たとえば第２音声ファイルがデコードされさらにアナログ信号に変換され、カット手段としてのカップリングコンデンサ３５により直流成分がカットされて出力されると、アンプスピーカ４０側でそのアナログ信号がバイアス手段としてのバイアス回路４４により所定のバイアスを加えられた後に増幅されるようにした。【選択図】図１
2007281849.tif 000002
【特許請求の範囲】
【請求項１】
デジタル信号とアナログ信号との出入力切換を行うプレーヤシステムであって、
デジタル信号又はアナログ信号を出力するメモリオーディオプレーヤと、
前記デジタル信号又はアナログ信号を増幅出力するアンプスピーカとを備え、
前記メモリオーディオプレーヤは、
前記アンプスピーカ側でデコード可能なデジタルの第１音声ファイルと前記アンプスピーカ側でデコード不可能なデジタルの第２音声ファイルとを記憶する記憶手段と、
前記第１音声ファイルをデコードし該デジタル信号を第１信号ラインに出力し、前記第２音声ファイルをデコードしさらにアナログ信号に変換して第２信号ラインに出力する音声ファイル変換手段と、
前記第２信号ラインに挿入され、前記アナログ信号の直流成分をカットするカット手段とを有し、
前記アンプスピーカは、
前記第１信号ラインからのデジタル信号をデコードしさらにアナログ信号に変換して出力する信号変換手段と、
前記第２信号ラインからのアナログ信号に対して所定のバイアスを加えるバイアス手段と、
前記信号変換手段又は前記バイアス手段からのアナログ信号を増幅する増幅手段とを有する
ことを特徴とするプレーヤシステム。
【請求項２】
前記メモリオーディオプレーヤは、前記第１信号ラインと前記第２信号ラインの出力経路を切り換える信号出力切換手段を有し、
前記アンプスピーカは、前記信号変換手段又は前記バイアス手段への信号の入力切換を行う信号入力切換手段を有し、
前記信号出力切換手段は、前記信号入力切換手段の切り換え動作に連動している
ことを特徴とする請求項１に記載のプレーヤシステム。
【請求項３】
前記アンプスピーカは、
電源オン時に前記メモリオーディオプレーヤ側へ動作電圧を供給する供給ラインを有し、
前記メモリオーディオプレーヤは、前記動作電圧の有無に応じて前記デジタル信号又はアナログ信号の出力を切り換える
ことを特徴とする請求項１又は２に記載のプレーヤシステム。
【請求項４】
メモリオーディオプレーヤとアンプスピーカとの間で、デジタル信号とアナログ信号との出入力切換を行う信号出入力切換方法であって、
前記メモリオーディオプレーヤは、
前記アンプスピーカ側でデコード可能なデジタルの第１音声ファイルと前記アンプスピーカ側でデコード不可能なデジタルの第２音声ファイルとを記憶するステップと、
前記第１音声ファイルをデコードし該デジタル信号を第１信号ラインに出力し、前記第２音声ファイルをデコードしさらにアナログ信号に変換して第２信号ラインに出力するステップと、
前記第２信号ラインに挿入されるカット手段により、前記アナログ信号の直流成分をカットするステップとを有し、
前記アンプスピーカは、
前記第１信号ラインからのデジタル信号をデコードしさらにアナログ信号に変換して出力するステップと、
前記第２信号ラインからのアナログ信号に対して所定のバイアスを加えるステップと、
いずれかの前記アナログ信号を増幅するステップとを有する
ことを特徴とする信号出入力切換方法。
【請求項５】
前記メモリオーディオプレーヤは、前記第１信号ラインと前記第２信号ラインの出力経路を切り換えるステップを有し、
前記アンプスピーカは、前記第１信号ライン又は前記第２信号ラインからの信号の入力切換を行うステップを有し、
前記出力経路の切り換えは前記入力切換に連動している
ことを特徴とする請求項４に記載の信号出入力切換方法。
【請求項６】
前記アンプスピーカは、電源オン時に前記メモリオーディオプレーヤ側へ動作電圧を供給するステップを有し、
前記メモリオーディオプレーヤは、前記動作電圧の有無に応じて前記デジタル信号又はアナログ信号の出力を切り換えるステップを有する
ことを特徴とする請求項４又は５に記載の信号出入力切換方法。
【発明の詳細な説明】
【技術分野】
【０００１】
本発明は、デジタル信号とアナログ信号との出入力切換を行うプレーヤシステム及び信号出入力切換方法に関する。
【背景技術】
【０００２】
近年、小型軽量のＵＳＢメモリオーディオプレーヤ（以下、メモリプレーヤという）が普及している。このメモリプレーヤでは、ＭＰＥＧ３等のデータ圧縮技術により、大量の音楽ファイル等を記録することができ、ヘッドホン等を使用することで、場所を選ばす手軽に音楽等を楽しめるようになっている。また、このようなメモリプレーヤでは、ヘッドホン等を用いない場合、アンプスピーカに接続することでも音楽等を楽しめるようになっている。
【０００３】
ここで、このようなメモリプレーヤからの音楽ファイルをアンプスピーカに接続し音声出力するプレーヤシステムの概要について、図３により説明する。同図において、メモリプレーヤ１０は、メモリ１１に記憶されている音楽ファイルがＵＳＢドライバ１２によってデコードされると、ＵＳＢコネクタ１３を介してアンプスピーカ２０側に出力されるようになっている。
【０００４】
アンプスピーカ２０は、ＵＳＢコネクタ２１及びデータライン２５を介して入力されたオーディオデータがＵＳＢホストコントローラ２２によりデコードされ、さらにアナログ信号に変換されると、オーディオアンプ２３により増幅されてスピーカ側に出力されるようになっている。なお、ＵＳＢコネクタ２１にメモリプレーヤ１０が接続されたことの認識は、Ｖバス１４とＶバス２４との間の＋５Ｖの電圧を検知することで行われる。
【０００５】
このようなプレーヤシステムでは、メモリプレーヤ１０とアンプスピーカ２０との接続構成が簡単であり、デジタルデータ転送によって音質劣化もなく、クリアーな音を楽しめる。
【０００６】
ところで、このような構成では、たとえばＤＲＭ（Ｄｉｇｉｔａｌ  Ｒｉｇｈｔｓ  Ｍａｎａｇｅｍｅｎｔ：デジタル著作権管理）等のセキュリティが施された音楽ファイルについてはデコード対応しているＵＳＢホストコントローラ２２が存在しないと、アンプスピーカ２０から音声出力することができない。
【０００７】
ここで、信号の入力切換を行うものとして、特許文献１では、コントローラ側からレンズ側へアナログ信号又はデジタル信号を送る際、該信号がアナログ形式であるかデジタル形式であるかを示す判別信号がレンズ側へ出力され、レンズ側ではその判別信号に基づき、切換スイッチの接点を切り換え、コントローラ側の各ラインの信号内容に適合した回路に制御信号を導くようにしたテレビカメラ用レンズ装置を提案している。
【特許文献１】特開平１０−０５６５８５号公報
【発明の開示】
【発明が解決しようとする課題】
【０００８】
上述した特許文献１のように、アナログ形式であるかデジタル形式であるかを示す判別信号に基づき、コントローラの信号内容に適合した回路に制御信号を導くことで、異なる仕様のコントローラの利用が可能となる。
【０００９】
ところで、このような方法を、上述したプレーヤシステムに適用しようとする場合、メモリプレーヤ１０のヘッドホン出力端子をアンプスピーカ２０の外部入力端子に接続し、メモリプレーヤ１０側にてデコード及びＤＡ変換してアナログ形式となった信号をアンプスピーカ２０のオーディオアンプ２３にて増幅出力するようにすればよいと考えられる。
【００１０】
また、アンプスピーカ２０側に、ＵＳＢコネクタ２１のデータライン２５をＵＳＢホストコントローラ２２に導く経路とオーディオアンプ２３に導く経路とに切り換える切換スイッチを設け、上記のセキュリティが施された音楽ファイルについてはＵＳＢホストコントローラ２２を介さずにオーディオアンプ２３に導くようにすればよいと考えられる。
【００１１】
さらに、メモリプレーヤ１０側には上記のセキュリティが施された音楽ファイルをデコード及びＤＡ変換したアナログ信号の出力経路とアンプスピーカ２０のＵＳＢホストコントローラ２２対応のデジタル信号の出力経路との切り換えをアンプスピーカ２０側の切り換えに連動させればよいと考えられる。
【００１２】
ところが、このようにすると、メモリプレーヤ１０のヘッドホン出力端子とアンプスピーカ２０の外部入力端子とを接続する必要があり、その接続が煩雑となるばかりか、メモリプレーヤ１０のヘッドホン出力端子とアンプスピーカ２０の外部入力端子とを接続するコードが露出してしまうため、見栄えも悪いものとなってしまうという問題があった。
【００１３】
しかも、メモリプレーヤ１０側のアナログ信号の出力経路に切り換えられている状態で、アンプスピーカ２０に接続され、そのアナログ信号がＵＳＢホストコントローラ２２に導かれた場合、そのＵＳＢホストコントローラ２２に中間電位がかかり、ＵＳＢホストコントローラ２２にがラッチアップを起こす可能性が生じてしまうという問題があった。
【００１４】
この場合、メモリプレーヤ１０側のアナログ信号の出力経路にＤＣカット用のカップリングコンデンサを挿入すればよいものと考えられるが、アンプスピーカ２０側の信号切換に使用されるスイッチＩＣは電源電圧範囲内の信号だけ通すものが多く、ＤＣ成分をカットしたアナログ信号を電源がオン状態のアンプスピーカ２０側に出力してオーディオアンプ２３にて増幅出力するとき、オーディオ信号が歪んでしまうという問題があった。
【００１５】
本発明は、このような状況に鑑みてなされたものであり、上記問題点を解決することができるプレーヤシステム及び信号出入力切換方法を提供することを目的とする。
【課題を解決するための手段】
【００１６】
本発明のプレーヤシステムは、デジタル信号とアナログ信号との出入力切換を行うプレーヤシステムであって、デジタル信号又はアナログ信号を出力するメモリオーディオプレーヤと、前記デジタル信号又はアナログ信号を増幅出力するアンプスピーカとを備え、前記メモリオーディオプレーヤは、前記アンプスピーカ側でデコード可能なデジタルの第１音声ファイルと前記アンプスピーカ側でデコード不可能なデジタルの第２音声ファイルとを記憶する記憶手段と、前記第１音声ファイルをデコードし該デジタル信号を第１信号ラインに出力し、前記第２音声ファイルをデコードしさらにアナログ信号に変換して第２信号ラインに出力する音声ファイル変換手段と、前記第２信号ラインに挿入され、前記アナログ信号の直流成分をカットするカット手段とを有し、前記アンプスピーカは、前記第１信号ラインからのデジタル信号をデコードしさらにアナログ信号に変換して出力する信号変換手段と、前記第２信号ラインからのアナログ信号に対して所定のバイアスを加えるバイアス手段と、前記信号変換手段又は前記バイアス手段からのアナログ信号を増幅する増幅手段とを有することを特徴とする。
また、前記メモリオーディオプレーヤは、前記第１信号ラインと前記第２信号ラインの出力経路を切り換える信号出力切換手段を有し、前記アンプスピーカは、前記信号変換手段又は前記バイアス手段への信号の入力切換を行う信号入力切換手段を有し、前記信号出力切換手段は、前記信号入力切換手段の切り換え動作に連動しているようにすることができる。
また、前記アンプスピーカは、電源オン時に前記メモリオーディオプレーヤ側へ動作電圧を供給する供給ラインを有し、前記メモリオーディオプレーヤは、前記動作電圧の有無に応じて前記デジタル信号又はアナログ信号の出力を切り換えるようにすることができる。
本発明の信号出入力切換方法は、メモリオーディオプレーヤとアンプスピーカとの間で、デジタル信号とアナログ信号との出入力切換を行う信号出入力切換方法であって、前記メモリオーディオプレーヤは、前記アンプスピーカ側でデコード可能なデジタルの第１音声ファイルと前記アンプスピーカ側でデコード不可能なデジタルの第２音声ファイルとを記憶するステップと、前記第１音声ファイルをデコードし該デジタル信号を第１信号ラインに出力し、前記第２音声ファイルをデコードしさらにアナログ信号に変換して第２信号ラインに出力するステップと、前記第２信号ラインに挿入されるカット手段により、前記アナログ信号の直流成分をカットするステップとを有し、前記アンプスピーカは、前記第１信号ラインからのデジタル信号をデコードしさらにアナログ信号に変換して出力するステップと、前記第２信号ラインからのアナログ信号に対して所定のバイアスを加えるステップと、いずれかの前記アナログ信号を増幅するステップとを有することを特徴とする。
また、前記メモリオーディオプレーヤは、前記第１信号ラインと前記第２信号ラインの出力経路を切り換えるステップを有し、前記アンプスピーカは、前記第１信号ライン又は前記第２信号ラインからの信号の入力切換を行うステップを有し、前記出力経路の切り換えは前記入力切換に連動しているようにすることができる。
また、前記アンプスピーカは、電源オン時に前記メモリオーディオプレーヤ側へ動作電圧を供給するステップを有し、前記メモリオーディオプレーヤは、前記動作電圧の有無に応じて前記デジタル信号又はアナログ信号の出力を切り換えるステップを有するようにすることができる。
本発明のプレーヤシステム及び信号出入力切換方法では、メモリオーディオプレーヤ側からのアンプスピーカ側でデコード可能なデジタルの第１音声ファイルと、アンプスピーカ側でデコード不可能なデジタルの第２音声ファイルとの出力が切り換えられ、たとえば第２音声ファイルの場合、その第２音声ファイルがデコードされさらにアナログ信号に変換されると、カット手段によりアナログ信号の直流成分がカットされて出力され、アンプスピーカ側では、そのアナログ信号が所定のバイアスを加えられた後に増幅される。
【発明の効果】
【００１７】
本発明のプレーヤシステム及び信号出入力切換方法によれば、メモリオーディオプレーヤ側から、たとえば第２音声ファイルがデコードされさらにアナログ信号に変換され、カット手段により直流成分がカットされて出力されると、アンプスピーカ側でそのアナログ信号が所定のバイアスを加えられた後に増幅されるようにしたので、メモリオーディオプレーヤのヘッドホン出力端子とアンプスピーカの外部入力端子との接続を不要とすることができ、しかもアンプスピーカ側の構成部品のラッチアップを確実に防止でき、併せてオーディオ信号の歪みも確実に防止することができる。
【発明を実施するための最良の形態】
【００１８】
本実施形態では、メモリオーディオプレーヤ側から、たとえば第２音声ファイルがデコードされさらにアナログ信号に変換され、カット手段により直流成分がカットされて出力されると、アンプスピーカ側でそのアナログ信号に所定のバイアスを加えて増幅するようにし、メモリオーディオプレーヤのヘッドホン出力端子とアンプスピーカの外部入力端子との接続を不要とし、しかもアンプスピーカ側の構成部品のラッチアップを確実に防止し、併せてオーディオ信号の歪みも確実に防止するようにした。
【実施例】
【００１９】
以下、本発明の実施例の詳細について説明する。図１は、本発明のプレーヤシステムの一実施例を説明するための図である。なお、以下に示す図においては、デジタル信号及びアナログ信号のそれぞれの左右の信号を、説明の都合上、一方の信号のみで説明するものとする。
【００２０】
図１に示すように、プレーヤシステムは、ＵＳＢメモリオーディオプレーヤ（以下、メモリプレーヤという）３０とアンプスピーカ４０とを備えている。
【００２１】
メモリプレーヤ３０は、メモリ３１、ＵＳＢドライバ３２、ＵＳＢ側切換スイッチ３３、ＵＳＢコネクタ３４とを備えている。
【００２２】
メモリ３１には、後述のアンプスピーカ４０側のＵＳＢホストコントローラ４５でデコード可能な第１音声ファイルとしての音楽ファイルや、そのＵＳＢホストコントローラ４５でデコード不可能なたとえばＤＲＭ（Ｄｉｇｉｔａｌ  Ｒｉｇｈｔｓ  Ｍａｎａｇｅｍｅｎｔ：デジタル著作権管理）等のセキュリティが施された第２音声ファイルとしての音楽ファイルが記憶される。なお、これらの音楽ファイルは、ＭＰＥＧ３等のデータ圧縮技術により符号化されたものである。
【００２３】
ＵＳＢドライバ３２は、上記の各音楽ファイルのデコード等を行い、ＤＲＭ等のセキュリティが施された音楽ファイルについてはアナログ信号にＤＡ変換して出力する。
【００２４】
ＵＳＢ側切換スイッチ３３は、Ｖバス３６に、後述のアンプスピーカ４０側のＶバス４９からの＋５Ｖの電圧が印加されたことが検知されると”Ｂ”側に切り換えられ、Ｖバス３６に、Ｖバス４９からの＋５Ｖの電圧が印加されないことが検知されると”Ａ”側に切り換えられる。
【００２５】
すなわち、ＵＳＢ側切換スイッチ３３は、アンプスピーカ４０側の電源がオフされるか、アンプスピーカ４０からのＶバス供給が切断されるか、又はメモリプレーヤ３０のＵＳＢコネクタ３４がアンプスピーカ４０側の後述のＵＳＢコネクタ４１から外されている場合に”Ａ”側に切り換えられることになる。また、ＵＳＢ側切換スイッチ３３は、たとえば後述のアンプスピーカ４０側の第１信号入力切換スイッチ４３の切り換えにも連動している。
【００２６】
なお、ＵＳＢ側切換スイッチ３３を後述のアンプスピーカ４０側の第１信号入力切換スイッチ４３の切り換えに連動させるためには、アンプスピーカ４０側からメモリプレーヤ３０側に第１信号入力切換スイッチ４３が切り換えられたことを示す信号を出力し、メモリプレーヤ３０側でその信号を基にＵＳＢ側切換スイッチ３３を切り換えるようにすればよい。
【００２７】
ＵＳＢドライバ３２とＵＳＢ側切換スイッチ３３との間には、ＤＣカット用のカップリングコンデンサ３５が挿入されているアナログのオーディオ信号ライン３５ａと、デジタルのオーディオ信号ライン３５ｂとが接続されており、ＵＳＢ側切換スイッチ３３が”Ａ”又は”Ｂ”に切り換えられることで、いずれかの信号が出力ライン３５ｃに出力されるようになっている。
【００２８】
ＵＳＢコネクタ３４は、後述のアンプスピーカ４０側のＵＳＢコネクタ４１に接続されるものであり、Ｖバス端子３４ａ、信号出力端子３４ｂ、ＧＮＤ端子３４ｃを有している。Ｖバス端子３４ａにはＶバス３６が接続され、信号出力端子３４ｂには出力ライン３５ｃが接続され、ＧＮＤ端子３４ｃにはＧＮＤライン３５ｄが接続されている。
【００２９】
アンプスピーカ４０は、ＵＳＢコネクタ４１、Ｖバス切換スイッチ４２、第１信号入力切換スイッチ４３、バイアス回路４４、ＵＳＢホストコントローラ４５、第２信号入力切換スイッチ４６、オーディオアンプ４７を備えている。
【００３０】
ＵＳＢコネクタ４１は、メモリプレーヤ３０側のＵＳＢコネクタ３４が接続される部位であり、Ｖバス端子４１ａ、信号出力端子４１ｂ、ＧＮＤ端子４１ｃを有している。
【００３１】
Ｖバス端子４１ａにはＶバス４９が接続され、信号出力端子４１ｂには入力信号ライン４３ａが接続され、ＧＮＤ端子４１ｃにはＧＮＤライン４３ｂが接続されている。
【００３２】
Ｖバス切換スイッチ４２は、アンプスピーカ４０側の電源がオンされ、かつアンプスピーカ４０からのＶバス供給が開始されると”Ｂ”側に切り換えられ、電源がオフされると”Ａ”側に切り換えられる。
【００３３】
第１信号入力切換スイッチ４３は、たとえばＶバス切換スイッチ４２の切り換えに連動しＶバス供給の有無により、”Ｂ”側又は”Ａ”側に切り換えられる。また、Ｖバス切換スイッチ４２は、図示しない切換ボタンの操作により、”Ｂ”側又は”Ａ”側に切り換えられるようになっている。
【００３４】
バイアス回路４４は、Ｖバス４９とオーディオ信号ライン４３ｄとの間に挿入され、メモリプレーヤ３０側からのアナログ信号に対し、所定の直流成分（ここでは＋２．５Ｖ）を加えるものである。これにより、第１信号入力切換スイッチ４３及び第２信号入力切換スイッチ４６を通過するオーディオ信号が、第１信号入力切換スイッチ４３及び第２信号入力切換スイッチ４６の電源電圧範囲外とならないようにバイアスが加えられ、オーディオアンプ４７によって増幅出力されるオーディオ信号の歪みが解消される。
【００３５】
ＵＳＢホストコントローラ４５は、デジタルのオーディオ信号ライン４３ｃを介して第１信号入力切換スイッチ４３に接続されている。ＵＳＢホストコントローラ４５は、ＵＳＢコネクタ４１及び第１信号入力切換スイッチ４３を介して入力されたデジタルのオーディオ信号をデコードし、さらにそのデコードしたデータをＤＡ変換によってアナログ信号にするものである。
【００３６】
第２信号入力切換スイッチ４６は、上記同様に、たとえば第１信号入力切換スイッチ４３の切り換えに連動し、”Ａ”又は”Ｂ”に切り換えられる。また、第２信号入力切換スイッチ４６には、上述したオーディオ信号ライン４３ｄと、ＵＳＢホストコントローラ４５からのアナログのオーディオ信号ライン４３ｅとが接続されており、第２信号入力切換スイッチ４６が”Ａ”又は”Ｂ”に切り換えられることでいずれかの信号がコンデンサ４８を介して出力ライン４３ｆに出力されるようになっている。
【００３７】
オーディオアンプ４７は、第２信号入力切換スイッチ４６を介して入力されるアナログ信号を増幅してスピーカ側に出力する。
【００３８】
次に、信号出入力切換方法について説明する。まず、メモリプレーヤ３０は、Ｖバス３６の＋５Ｖの有無によってＵＳＢ側切換スイッチ３３が切り換えられる。そのため、メモリプレーヤ３０がアンプスピーカ４０から切り離された状態では、ＵＳＢ側切換スイッチ３３が”Ａ”側に切り換えられている。
【００３９】
ここで、図２に示すように、メモリプレーヤ３０のＵＳＢコネクタ３４をアンプスピーカ４０のＵＳＢコネクタ４１に接続する（ステップＳ１）。このとき、アンプスピーカ４０の電源がオフの状態では、ＵＳＢ側切換スイッチ３３が”Ａ”側に切り換えられたままである。
【００４０】
この状態で、メモリプレーヤ３０側からのアナログのオーディオ信号がＵＳＢコネクタ３４を介してアンプスピーカ４０側の入力信号ライン４３ａに入力されても、メモリプレーヤ３０側からのアナログのオーディオ信号はＤＣカット用のカップリングコンデンサ３５によってＤＣ成分がカットされているため、オーディオアンプ４７又はＵＳＢホストコントローラ４５がラッチアップを起こすことがない。
【００４１】
一方、この状態で、アンプスピーカ４０側の電源がオンされると（ステップＳ２）、第１信号入力切換スイッチ４３が”Ｂ”側に切り換えられ（ステップＳ３）、これに連動してＶバス切換スイッチ４２及び第２信号入力切換スイッチ４６が”Ｂ”側に切り換えられる。
【００４２】
このとき、メモリプレーヤ３０側では、Ｖバス３６の＋５Ｖが検知されることで（ステップＳ４）、ＵＳＢ側切換スイッチ３３が”Ｂ”側に切り換えられる（ステップＳ５）。これにより、メモリプレーヤ３０側では、デジタルのオーディオ信号がオーディオ信号ライン３５ｂ、ＵＳＢ側切換スイッチ３３及び出力ライン３５ｃを介してアンプスピーカ４０側に出力される（ステップＳ６）。
【００４３】
アンプスピーカ４０側では、入力信号ライン４３ａ、第１信号入力切換スイッチ４３及びオーディオ信号ライン４３ｃを介してＵＳＢホストコントローラ４５に入力される。このとき、ＵＳＢホストコントローラ４５により、メモリプレーヤ３０側からのデジタルのオーディオ信号がデコードされ、さらにＤＡ変換によってアナログ信号にされ（ステップＳ７）、オーディオ信号ライン４３ｅ、第２信号入力切換スイッチ４６及び出力ライン４３ｆを介しオーディオアンプ４７に出力される。そして、オーディオアンプ４７により、ＵＳＢホストコントローラ４５によってＤＡ変換されたアナログ信号が増幅され、スピーカ側に出力される（ステップＳ８）。
【００４４】
一方、メモリプレーヤ３０側からのアナログのオーディオ信号をアンプスピーカ４０側で出力する場合、たとえばアンプスピーカ４０側の第１信号入力切換スイッチ４３が図示しない切換ボタンの操作により、”Ａ”側に切り換えられると（ステップＳ９）、これに連動してＶバス切換スイッチ４２及び第２信号入力切換スイッチ４６が”Ａ”側に切り換えられる（ステップＳ１０）。
【００４５】
このとき、メモリプレーヤ３０側では、Ｖバス切換スイッチ４２の切り換えに連動してＶバス供給が切断されるため、ＵＳＢ側切換スイッチ３３が”Ａ”側に切り換えられる（ステップＳ１１）。これにより、メモリプレーヤ３０側では、アナログのオーディオ信号がオーディオ信号ライン３５ａに挿入されているＤＣカット用のカップリングコンデンサ３５によりＤＣ成分がカットされ、ＵＳＢ側切換スイッチ３３及び出力ライン３５ｃを介してアンプスピーカ４０側に出力される（ステップＳ１２）。
【００４６】
アンプスピーカ４０側では、そのアナログのオーディオ信号が入力信号ライン４３ａ及び第１信号入力切換スイッチ４３を介してオーディオ信号ライン４３ｄに挿入されているバイアス回路４４に取り込まれる。
【００４７】
このとき、バイアス回路４４により、メモリプレーヤ３０側からのアナログのオーディオ信号に所定のバイアスである直流成分（ここでは＋２．５Ｖ）が加えられ（ステップＳ１３）、第２信号入力切換スイッチ４６及び出力ライン４３ｆを介してオーディオアンプ４７に出力される。
【００４８】
そして、オーディオアンプ４７により、アナログ信号が増幅され、スピーカ側に出力される（ステップＳ１４）。ここで、オーディオアンプ４７に入力されるアナログ信号は、バイアス回路４４により所定の直流成分（ここでは＋２．５Ｖ）が加えられているため、第１信号入力切換スイッチ４３及び第２信号入力切換スイッチ４６を通過するオーディオ信号が、第１信号入力切換スイッチ４３及び第２信号入力切換スイッチ４６の電源電圧範囲外とならないようになっており、歪みのない状態でオーディオアンプ４７により増幅される。
【００４９】
このように、本実施例では、メモリプレーヤ３０側からアンプスピーカ４０側でデコード可能なデジタルの第１音声ファイルと、アンプスピーカ４０側でデコード不可能なデジタルの第２音声ファイルとの出力が切り換えられ、たとえば第２音声ファイルがデコードされさらにアナログ信号に変換され、カット手段としてのカップリングコンデンサ３５により直流成分がカットされて出力されると、アンプスピーカ４０側でそのアナログ信号がバイアス手段としてのバイアス回路４４により所定のバイアスを加えられた後に増幅されるようにした。
【００５０】
これにより、従来のように、たとえばＤＲＭ（Ｄｉｇｉｔａｌ  Ｒｉｇｈｔｓ  Ｍａｎａｇｅｍｅｎｔ：デジタル著作権管理）等のセキュリティが施された音楽ファイルをメモリプレーヤ１０側にてデコード及びＤＡ変換し、そのアナログ信号をアンプスピーカ２０側で増幅出力させるために、メモリプレーヤ３０のヘッドホン出力端子とアンプスピーカ４０の外部入力端子とを接続することを不要とすることができる。
【００５１】
また、そのアナログ信号は、メモリプレーヤ３０側にてカップリングコンデンサ３５により直流成分がカットされて出力されるため、アンプスピーカ４０側の構成部品のラッチアップを確実に防止することができる。
【００５２】
また、アンプスピーカ４０のオーディオアンプ４７に入力されるアナログ信号は、バイアス回路４４により所定の直流成分（ここでは＋２．５Ｖ）が加えられ、第１信号入力切換スイッチ４３及び第２信号入力切換スイッチ４６の電源電圧範囲外とならないようになっているため、オーディオ信号の歪みも確実に防止することができる。
【産業上の利用可能性】
【００５３】
ＵＳＢメモリオーディオプレーヤを用いたプレーヤシステムに限らず、ＳＤメモリ対応のモバイルオーディオプレーヤを用いたプレーヤシステム等にも適用可能である。
【図面の簡単な説明】
【００５４】
【図１】本発明のプレーヤシステムの一実施例を説明するための図である。
【図２】図１のプレーヤシステムにおける信号出入力切換方法を説明するためのフローチャートである。
【図３】従来のプレーヤシステムの一例を示す図である。
【符号の説明】
【００５５】
１０  メモリプレーヤ
１１  メモリ
１２  ＵＳＢドライバ
１３  ＵＳＢコネクタ
１４  Ｖバス
２０  アンプスピーカ
２１  ＵＳＢコネクタ
２２  ＵＳＢホストコントローラ
２３  オーディオアンプ
２４  Ｖバス
２５  データライン
３０  メモリプレーヤ
３１  メモリ（記憶手段）
３２  ＵＳＢドライバ（音声ファイル変換手段）
３３  ＵＳＢ側切換スイッチ（信号出力切換手段）
３４  ＵＳＢコネクタ
３５  カップリングコンデンサ（カット手段）
３５ａ  オーディオ信号ライン（第２信号ライン）
３５ｂ  オーディオ信号ライン（第１信号ライン）
３５ｃ  出力ライン
３６  Ｖバス
４０  アンプスピーカ
４１  ＵＳＢコネクタ
４２  バス切換スイッチ
４３  第１信号入力切換スイッチ（信号入力切換手段）
４３ａ  入力信号ライン
４３ｃ  オーディオ信号ライン
４３ｄ  オーディオ信号ライン
４３ｅ  オーディオ信号ライン
４３ｆ  出力ライン
４４  バイアス回路（バイアス手段）
４５  ＵＳＢホストコントローラ（信号変換手段）
４６  第２信号入力切換スイッチ
４７  オーディオアンプ（増幅手段）
４９  Ｖバス（供給ライン）
【図１】
2007281849.tif 000003
【図２】
2007281849.tif 000004
【図３】
2007281849.tif 000005